(57)【要約】【課題】安全に液体燃料を供給することができる携帯端末装置および携帯端末ユニットを提案する。【解決手段】液体燃料を消費して発電可能な燃料電池ユニットと、液体燃料を溜める燃料タンク１４と、液体燃料を供給可能な燃料カートリッジと燃料タンク１４との間で、液体燃料を流通させるための開口となる２つの流通口２６と、を備え、２つの流通口２６のうち、一方の流通口である燃料流出口２６ｂは、液体燃料の供給時において、燃料タンク１４からの液体燃料の流出を許容すると共に、燃料タンク１４内の気体の流出を許容する。【選択図】図３
2011210374.tif 000002
【特許請求の範囲】
【請求項１】
液体燃料を消費して発電可能な燃料電池と、
前記液体燃料を溜める燃料タンクと、
前記液体燃料を供給可能な燃料供給装置と前記燃料タンクとの間で、前記液体燃料を流通させるための開口となる２つの流通口と、を備え、
２つの前記流通口のうち、一方の前記流通口は、前記液体燃料の供給時において、前記燃料タンクからの前記液体燃料の流出を許容すると共に、前記燃料タンク内の気体の流出を許容することを特徴とする携帯端末装置。
【請求項２】
筐体をさらに備え、
２つの前記流通口のうち、一方の前記流通口は、前記液体燃料が流出可能な燃料流出口であり、他方の前記流通口は、前記液体燃料が流入可能な燃料流入口であり、
前記液体燃料の供給時において、前記筐体の一主面が水平面と平行となるように、該筐体を保持したときに、前記燃料流入口は、前記燃料流出口に比して、鉛直方向における高さが低いことを特徴とする請求項１に記載の携帯端末装置。
【請求項３】
２つの前記流通口は、前記燃料タンクの両側に設けられていることを特徴とする請求項１または２に記載の携帯端末装置。
【請求項４】
前記燃料タンクは、その内部に供給された前記液体燃料を保持する燃料保持部材を有していることを特徴とする請求項１ないし３のいずれか１項に記載の携帯端末装置。
【請求項５】
前記燃料タンクは、その内部空間を、２つの前記流通口をつなぐ内部燃料流路と、前記内部燃料流路以外の空間とに区分けする仕切り板をさらに有していることを特徴とする請求項４に記載の携帯端末装置。
【請求項６】
請求項１ないし５のいずれか１項に記載の携帯端末装置と、
前記携帯端末装置の前記燃料タンクへ向けて前記液体燃料を供給可能な燃料供給装置と、を備え、
前記燃料供給装置は、２つの前記流通口にそれぞれ接続可能な２つの接続口を有していることを特徴とする携帯端末ユニット。
【請求項７】
前記燃料供給装置は、前記携帯端末装置を位置決めする位置決め部をさらに有していることを特徴とする請求項６に記載の携帯端末ユニット。
【請求項８】
前記携帯端末装置は、２つの前記流通口が前記燃料タンクの両側に設けられ、
前記燃料供給装置は、２つの前記接続口をそれぞれ設けた一対の装着アーム部をさらに有し、
前記一対の装着アーム部は、前記燃料タンクを挟むように、２つの前記接続口を２つの前記流通口にそれぞれ接続させることを特徴とする請求項６または７に記載の携帯端末ユニット。
【請求項９】
前記燃料供給装置は、前記各装着アーム部を自在に移動可能とする可動部をさらに有していることを特徴とする請求項８に記載の携帯端末ユニット。
【発明の詳細な説明】
【技術分野】
【０００１】
本発明は、燃料電池を搭載した携帯端末装置および携帯端末ユニットに関する。
【背景技術】
【０００２】
携帯端末装置は、燃料電池を搭載したものがあり、このような携帯端末装置としては、例えば、非特許文献１に開示された携帯電話がある。非特許文献１に開示されている携帯電話は、いわゆる、折り畳み式の携帯電話であり、操作ボタンが搭載された持ち手側の筐体に、燃料電池および燃料タンク並びに燃料注入口が配置されている。この燃料注入口には、別体の燃料ボトルが装着可能となっており、装着された燃料ボトルから液体燃料となるメタノールが燃料タンクに供給される。
【先行技術文献】
【非特許文献】
【０００３】
【非特許文献１】darkhorse_loga、“コンセント不要、すぐさま充電できる燃料電池を内蔵した携帯電話がついに登場”、［online］、２００９年１０月６日、Gigazine、［２０１０年３月２３日］、インターネット〈URL: http://gigazine.net/index.php?/news/comments/20091006_fuel_cell_ceatec_japan_2009/〉
【発明の概要】
【発明が解決しようとする課題】
【０００４】
しかしながら、従来の携帯電話では、液体燃料としてメタノールを用いるため、液体燃料の供給時において、安全に液体燃料を携帯電話へ供給することが求められる。
【０００５】
そこで、本発明は、安全に液体燃料を供給することができる携帯端末装置および携帯端末ユニットを提案する。
【課題を解決するための手段】
【０００６】
本発明の携帯端末装置は、液体燃料を消費して発電可能な燃料電池と、液体燃料を溜める燃料タンクと、液体燃料を供給可能な燃料供給装置と燃料タンクとの間で、液体燃料を流通させるための開口となる２つの流通口と、を備え、２つの流通口のうち、一方の流通口は、液体燃料の供給時において、燃料タンクからの液体燃料の流出を許容すると共に、燃料タンク内の気体の流出を許容することを特徴とする。
【０００７】
この場合、筐体をさらに備え、２つの流通口のうち、一方の流通口は、液体燃料が流出可能な燃料流出口であり、他方の流通口は、液体燃料が流入可能な燃料流入口であり、液体燃料の供給時において、筐体の一主面が水平面と平行となるように、該筐体を保持したときに、燃料流入口は、燃料流出口に比して、鉛直方向における高さが低いことが好ましい。
【０００８】
この場合、２つの流通口は、燃料タンクの両側に設けられていることが好ましい。
【０００９】
この場合、燃料タンクは、その内部に供給された液体燃料を保持する燃料保持部材を有していることが好ましい。
【００１０】
この場合、燃料タンクは、その内部空間を、２つの流通口をつなぐ内部燃料流路と、内部燃料流路以外の空間とに区分けする仕切り板をさらに有していることが好ましい。
【００１１】
本発明の携帯端末ユニットは、上記の携帯端末装置と、携帯端末装置の燃料タンクへ向けて液体燃料を供給可能な燃料供給装置と、を備え、燃料供給装置は、２つの流通口にそれぞれ接続可能な２つの接続口を有していることを特徴とする。
【００１２】
この場合、燃料供給装置は、携帯端末装置を位置決めする位置決め部をさらに有していることが好ましい。
【００１３】
この場合、携帯端末装置は、２つの流通口が燃料タンクの両側に設けられ、燃料供給装置は、２つの接続口をそれぞれ設けた一対の装着アーム部をさらに有し、一対の装着アーム部は、燃料タンクを挟むように、２つの接続口を２つの流通口にそれぞれ接続させることが好ましい。
【００１４】
この場合、燃料供給装置は、各装着アーム部を自在に移動可能とする可動部をさらに有していることが好ましい。
【発明の効果】
【００１５】
本発明によれば、２つの流通口を設けることで、燃料タンクからの液体燃料の流出と、燃料タンク内の気体の流出とを許容できるため、液体燃料の供給時における安全性を高めることができる。
【図面の簡単な説明】
【００１６】
【図１】図１は、実施形態１に係る携帯端末ユニットを示す外観斜視図である。
【図２】図２は、実施形態１に係る携帯端末装置の分解図である。
【図３】図３は、燃料タンクを示す外観斜視図である。
【図４】図４は、図３の燃料タンクをＡ面で切ったときの断面図である。
【図５】図５は、図３の燃料タンクの分解図である。
【図６】図６は、実施形態１に係る燃料カートリッジを示す外観斜視図である。
【図７】図７は、図６の燃料カートリッジをＢ面で切ったときの断面図である。
【図８】図８は、実施形態２に係る携帯端末ユニットを示す外観斜視図である。
【図９】図９は、実施形態２に係る携帯端末装置を示す外観斜視図である。
【図１０】図１０は、燃料タンクを示す外観斜視図である。
【図１１】図１１は、実施形態２に係る燃料カートリッジを示す外観斜視図である。
【発明を実施するための形態】
【００１７】
以下、本発明につき図面を参照しつつ詳細に説明する。なお、下記の発明を実施するための形態（以下実施形態という）により本発明が限定されるものではない。また、下記の実施形態における構成要素には、当業者が容易に想定できるもの、実質的に同一のもの、いわゆる均等の範囲のものが含まれる。
【００１８】
（実施形態１）
図１は、実施形態１に係る携帯端末ユニットを示す外観斜視図である。携帯端末ユニット１は、液体燃料を消費して発電する燃料電池を搭載した携帯端末装置２と、液体燃料を供給可能な燃料カートリッジ（燃料供給装置）３とを備えている。この携帯端末ユニット１では、燃料カートリッジ３を携帯端末装置２へ装着させることで、燃料カートリッジ３から携帯端末装置２へ液体燃料を供給する。なお、携帯端末装置２の長手方向が長さ方向となっており、携帯端末装置２の短手方向が幅方向となっており、長さ方向および幅方向に直交する方向が厚み方向となっている。
【００１９】
図２は、実施形態１に係る携帯端末装置の分解図である。ここで、携帯端末装置２の一例として携帯電話機を説明するが、本発明の適用対象は携帯電話機に限定されない。また、燃料電池ユニット１５を有する電子機器であれば、例えば、ＰＨＳ（Personal Handy phone System）、ＰＤＡ（Personal Data Assistant）、ポータブルナビゲーション装置、ノートパソコン、携帯ゲーム機にも本発明を適用できる。
【００２０】
携帯端末装置２は、１つの箱型形状の筐体５の内部に各部が収納されたストレート形状のものである。なお、実施形態１では、ストレート形状の携帯端末装置２を適用したが、これに限らない。つまり、携帯端末装置２として、例えば、ヒンジで連結された２つの筐体を開閉可能に折り畳んだ、折り畳み式の携帯端末装置を適用しても良い。また、２つの筐体を用いた携帯端末装置として、スライド式やサイクロイド式の携帯端末装置を適用しても良い。
【００２１】
携帯端末装置２は、表示部１０と、操作部１１と、マイク１２と、レシーバ１３と、燃料タンク１４と、燃料電池ユニット（燃料電池）１５と、バッテリ１６とを備えており、これらは筐体５に格納されている。筐体５は、一方側（図示上側：正面側）の筐体となる第１筐体５ａと、他方側（図示下側：背面側）の筐体となる第２筐体５ｂとを備えている。
【００２２】
表示部１０は、第１筐体５ａの一方側（図示右側：天面側）に設けられたディスプレイ２０を有している。ディスプレイ２０は、電話の発着信やアプリケーションの起動を待ち受けている待受画面を表示したり、携帯端末装置２の操作を補助するために用いられるメニュー画面を表示したりする。また、第１筐体５ａの一方側の端部（図示右側端部）には、携帯端末装置２の通話時に音声を発するレシーバ１３が設けられる。
【００２３】
操作部１１は、第１筐体５ａの他方側（図示左側：底面側）に設けられた複数の操作キー２１を有している。複数の操作キー２１は、通話相手の電話番号やメール作成時等に文字を入力するために用いられる。また、第１筐体５ａの他方側の端部（図示左側端部）には、携帯端末装置２の通話時に音声を受け取るマイク１２が設けられる。
【００２４】
燃料電池ユニット１５は、第２筐体５ｂの天面側に、すなわちディスプレイ２０の背面側に設けられている。燃料電池ユニット１５は、液体燃料を消費して発電を行う。液体燃料としては、例えば、メタノールが使用される。燃料電池ユニット１５は、燃料極、固体高分子膜および空気極を有する燃料電池セルを複数接続したセルスタックを有している。燃料電池ユニット１５は、セルスタックにおいて、液体燃料と取り込まれた空気とを電気化学反応させることで、電気を発生させる。
【００２５】
バッテリ１６は、第２筐体５ｂの底面側に、すなわちマイク１２の背面側に設けられている。バッテリ１６は、燃料電池ユニット１５により発生した電気を蓄電すると共に、蓄電した電気を携帯端末装置２の各部へ給電する。
【００２６】
燃料タンク１４は、厚み方向に薄い略長方体形状のタンクであり、内部に液体燃料を溜めることが可能となっている。燃料タンク１４は、燃料電池ユニット１５とバッテリ１６との間の第２筐体５ｂに設けられている。そして、燃料タンク１４は、内部に溜めた液体燃料を燃料電池ユニット１５へ向けて適宜供給している。
【００２７】
ここで、図３ないし図５を参照して、燃料タンク１４について詳細に説明する。図３は、燃料タンクを示す外観斜視図である。図４は、図３の燃料タンクをＡ面で切ったときの断面図である。図５は、図３の燃料タンクの分解図である。燃料タンク１４は、タンクケース２５と、浸透膜２７と、スポンジ２８と、仕切り板２９とを備え、このタンクケース２５に２つの流通口２６が設けられている。
【００２８】
タンクケース２５は、その断面が略長方形状となる筒状に形成されたケース本体２５ａと、ケース本体２５ａの両端面に設けられた一対の端板２５ｂとを有している。ケース本体２５ａには、浸透膜２７が配置されるスリット３３が、ケース本体２５ａの長手方向（携帯端末装置２の幅方向）に延在するように設けられている。なお、図３および図５では、タンクケース２５の内部を示すために、ケース本体２５ａの図示上側の面が省略されている。
【００２９】
２つの流通口２６は、一対の端板２５ｂにそれぞれ設けられている。つまり、一方（図示右側）の端板２５ｂに設けられた一方の流通口２６が、液体燃料が流入可能な燃料流入口２６ａとなっている。また、他方（図示左側）の端板２５ｂに設けられた他方の流通口２６が、液体燃料が流出可能な燃料流出口２６ｂとなっている。このため、タンクケース２５の両端面、すなわち燃料タンク１４の両側面に、燃料流入口２６ａおよび燃料流出口２６ｂがそれぞれ設けられる。
【００３０】
各流通口２６は、端板２５ｂから外側に突出して設けられた円筒５０と、円筒５０内の端板２５ｂに貫通形成した貫通孔５１（図５参照）とを有している。また、各流通口２６には、封止弁３５がそれぞれ設けられ、各封止弁３５はタンクケース２５の内側に設けられている。
【００３１】
図５に示すように、封止弁３５は、弁部３６と、弁部３６を付勢する付勢部材としての圧縮バネ３７と、圧縮バネ３７を収容するバネ収容部３８とを有している。弁部３６は、貫通孔５１に挿入可能に形成され、圧縮バネ３７は、その一端を弁部３６に当接させている。バネ収容部３８は、箱状に形成されて端板２５ｂの内側に付設され、圧縮バネ３７はその他端をバネ収容部３８に当接させている。
【００３２】
従って、弁部３６が、圧縮バネ３７の付勢力に抗して、燃料タンク１４の内側に移動すると、貫通孔５１が開放され、これにより、燃料流入口２６ａおよび燃料流出口２６ｂは開放する。一方、弁部３６が、圧縮バネ３７の付勢力により、燃料タンク１４の外側に移動すると、貫通孔５１が閉じられ、これにより、燃料流入口２６ａおよび燃料流出口２６ｂは閉じられる。
【００３３】
図４に示すように、燃料流入口２６ａおよび燃料流出口２６ｂは、燃料タンク１４の厚み方向において、その高さが異なっている。つまり、燃料流入口２６ａは、燃料流出口２６ｂに比して、厚み方向における高さが低くなっている。なお、携帯端末装置２は、例えば、机の上に載置する場合、その背面を下にして机に載置されるため、液体燃料の供給時において、厚み方向は鉛直方向となる。
【００３４】
また、図３および図５に示すように、燃料流入口２６ａおよび燃料流出口２６ｂは、燃料タンク１４の短手方向（携帯端末装置２の長さ方向）において、所定の間隔を空けて設けられている。つまり、燃料タンク１４の短手方向において、燃料流入口２６ａは、端板２５ｂの一方側に設けられ、燃料流出口２６ｂは、端板２５ｂの他方側に設けられる。
【００３５】
浸透膜２７は、略方形状に形成され、スリット３３に挿入されて、燃料タンク１４と燃料電池ユニット１５とを接続している。この浸透膜２７は、燃料タンク１４内に貯留された液体燃料を燃料電池ユニット１５へ向けて適宜供給している。
【００３６】
スポンジ２８は、略長方体状に形成され、液体燃料を保持可能な燃料保持部材として機能する。このスポンジ２８は、浸透膜２７に接触して配設され、燃料タンク１４内に供給された液体燃料を吸収して保持する一方、浸透膜２７に液体燃料を供給可能となっている。スポンジ２８は、後述するスポンジ収容空間Ｓ１に収容されることで、タンクケース２５の隅部に配設される。
【００３７】
仕切り板２９は、Ｌ字状に形成され、燃料流入口２６ａから燃料流出口２６ｂに至る内部燃料流路Ｒ１を形成するように、タンクケース２５の内部に配設されている。このため、仕切り板２９は、タンクケース２５の内部空間を、内部燃料流路Ｒ１と、内部燃料流路Ｒ１以外の空間とに区分けし、内部燃料流路Ｒ１以外の空間を、スポンジを収容するためのスポンジ収容空間Ｓ１としている。この仕切り板２９には、内部燃料流路Ｒ１を流通する液体燃料が、スポンジ収容空間Ｓ１に収容されたスポンジ２８に流入可能なように、流入開口３９が貫通形成されている。
【００３８】
次に、図６および図７を参照して、燃料カートリッジ３について説明する。図６は、実施形態１に係る燃料カートリッジを示す外観斜視図である。図７は、図６の燃料カートリッジをＢ面で切ったときの断面図である。燃料カートリッジ３は、上記の携帯端末装置２に液体燃料を供給する燃料供給装置として機能している。この燃料カートリッジ３は、液体燃料を溜めるカートリッジ本体４０と、携帯端末装置２を厚み方向に位置決めして保持する位置決め保持部材４１と、携帯端末装置２を幅方向に位置決めする一対の位置決めリブ４２と、を有している。このため、位置決め保持部材４１および一対の位置決めリブ４２は、携帯端末装置２を位置決めする位置決め部として機能する。
【００３９】
カートリッジ本体４０は、燃料貯留部５５と、一対の装着アーム部５６と、各装着アーム部に介設された一対の可動部５７とを有している。燃料貯留部５５は、略長方体状に形成され、その内部には、液体燃料を溜めている。なお、燃料貯留部５５の外側には、位置決め保持部材４１によってガイドされた携帯端末装置２の底面が突き当てられ、携帯端末装置２を長さ方向に位置決めする。
【００４０】
一対の装着アーム部５６は、図６に示すように、燃料貯留部５５の両端に設けられており、また、図７に示すように、燃料貯留部５５の厚み方向における一方側（図示下側）に設けられている。なお、図７の図示下側が、燃料カートリッジ３の背面側となっており、燃料カートリッジ３は、その背面を下にして机等に載置される。このため、燃料カートリッジ３は、携帯端末装置２と同様に、液体燃料の供給時において、厚み方向は鉛直方向となる。
【００４１】
燃料貯留部５５と一対の装着アーム部５６とを組み合わせた形状は、凹形状となっている。各装着アーム部５６は、その一方側の端部（基端部）が燃料貯留部５５に接続されている。また、各装着アーム部５６には、その他方側の端部（先端部）に、携帯端末装置２の各流通口２６に接続される接続口４５が設けられている。そして、各装着アーム部５６には、その内部に、燃料貯留部５５と接続口４５と連通する燃料流通流路Ｒ２（図７参照）が設けられている。
【００４２】
２つの接続口４５は、一方（図６の図示右側、図７の図示左側）の装着アーム部５６に設けられた一方の接続口４５が、燃料タンク１４の燃料流入口２６ａに接続される燃料注入口４５ａとなっている。また、他方（図６の図示左側、図７の図示右側）の接続口４５が、燃料タンク１４の燃料流出口２６ｂに接続される燃料排出口４５ｂとなっている。
【００４３】
図７に示すように、燃料注入口４５ａおよび燃料排出口４５ｂは、燃料カートリッジ３の厚み方向において、その高さが異なっている。つまり、燃料注入口４５ａは、燃料排出口４５ｂに比して、厚み方向における高さが低くなっている。
【００４４】
各可動部５７は、ジャバラ構造となっており、各装着アーム部５６の先端側を自在に移動させることが可能となっている。これにより、各可動部５７は、図１に示すように、各装着アーム部５６を適宜可動させ、各装着アーム部５６に設けられた接続口４５を、各流通口２６へ好適に接続することができる。
【００４５】
位置決め保持部材４１は、略方形状に形成され、カートリッジ本体４０の燃料貯留部５５の背面側に取り付けられる。そして、図１に示すように、この位置決め保持部材４１には、携帯端末装置２の背面側が保持（載置）され、携帯端末装置２は、厚み方向に位置決めされる。
【００４６】
各位置決めリブ４２は、略方形状に形成され、燃料貯留部５５と各装着アーム部５６とが為すコーナー部にそれぞれ設けられている。そして、一対の位置決めリブ４２は、位置決め保持部材４１に保持される携帯端末装置２に対し、幅方向の両側に当接して、携帯端末装置２を幅方向に位置決めする。
【００４７】
続いて、携帯端末装置２に燃料カートリッジ３を装着し、燃料カートリッジ３から携帯端末装置２へ液体燃料を供給する、携帯端末ユニット１による燃料供給動作について説明する。携帯端末装置２に液体燃料を供給する場合、先ず、携帯端末装置２は、その底面側を、燃料カートリッジ３の位置決め保持部材４１によって案内される。位置決め保持部材４１に案内された携帯端末装置２は、一対の位置決めリブ４２によって幅方向に規制される。そして、携帯端末装置２は、その底面側が燃料貯留部５５に突き当てられることで、燃料カートリッジ３にセットされる。
【００４８】
携帯端末装置２を燃料カートリッジ３にセットした携帯端末ユニット１は、その背面を下にして机等に載置される。つまり、携帯端末装置２および燃料カートリッジ３の厚み方向が鉛直方向となり、携帯端末装置２の筐体５の正面（一主面）が水平面と平行となる。この状態において、燃料カートリッジ３の一対の装着アーム部５６の先端側を可動させることにより、携帯端末装置２の燃料流入口２６ａには、燃料カートリッジ３の燃料注入口４５ａが接続され、携帯端末装置２の燃料流出口２６ｂには、燃料カートリッジ３の燃料排出口４５ｂが接続される。
【００４９】
燃料流入口２６ａおよび燃料流出口２６ｂに、燃料注入口４５ａおよび燃料排出口４５ｂが接続されると、各封止弁３５が開放され、これにより、燃料流入口２６ａと燃料注入口４５ａとが連通すると共に、燃料流出口２６ｂと燃料排出口４５ｂとが連通する。このとき、燃料流入口２６ａは、鉛直方向において、燃料流出口２６ｂよりも鉛直方向の下側に位置するため、燃料流入口２６ａに加わる液体燃料の圧力は、燃料流出口２６ｂに加わる液体燃料の圧力に比して大きい。このため、液体燃料は、燃料流入口２６ａから燃料タンク１４へ向けて流入する一方で、燃料タンク１４内の気体は、燃料流出口２６ｂから排出される。
【００５０】
この後、燃料タンク１４内の液位が上昇して、燃料流出口２６ｂに達すると、燃料タンク１４内に供給された液体燃料は、燃料流出口２６ｂから流出する。つまり、燃料カートリッジ３から燃料タンク１４へ流入した液体燃料は、その一部が燃料タンク１４から燃料カートリッジ３へ流出する。よって、液体燃料は、燃料カートリッジ３と燃料タンク１４との間で循環させることが可能となっている。そして、燃料タンク１４の燃料流出口２６ｂから液体燃料が流出すると、燃料流出口２６ｂが鉛直方向の上側に位置していることから、燃料タンク１４内に液体燃料が充填されたとして、一対の装着アーム部５６は取り外される。
【００５１】
以上の構成によれば、携帯端末装置２は、液体燃料の供給時において、燃料タンク１４内の気体の燃料流出口２６ｂからの流出（排出）を許容する。これにより、携帯端末装置２は、燃料タンク１４に液体燃料を供給しても、燃料タンク１４内の圧力の上昇が抑えられるため、液体燃料が燃料流出口２６ｂから逆流することなく、好適に供給することができる。また、携帯端末装置２は、液体燃料の供給時において、燃料タンク１４に供給された液体燃料の燃料流出口２６ｂからの流出を許容する。これにより、燃料カートリッジ３から燃料タンク１４へ液体燃料を供給しすぎても、燃料タンク１４から溢れ出た液体燃料は、燃料流出口２６ｂを介して燃料カートリッジ３へ流出する。このため、携帯端末ユニット１は、携帯端末装置２から液体燃料が漏れ出ることを抑制することができ、携帯端末装置２から流出した余剰の液体燃料を燃料カートリッジ３により回収することができる。これにより、ユーザは、液体燃料の逆流や漏出を生じさせることなく、液体燃料の供給を安全に行うことができる。
【００５２】
また、携帯端末装置２は、液体燃料の供給時において、その燃料流入口２６ａを、鉛直方向の下側に配置し、その燃料流出口２６ｂを鉛直方向の上側に配置することができる。このため、ユーザは、燃料カートリッジ３内の液体燃料を押し出すことなく、燃料カートリッジ３を携帯端末装置２に装着するだけで、液体燃料を燃料タンク１４に簡単に供給することができる。
【００５３】
また、燃料流入口２６ａおよび燃料流出口２６ｂを、燃料タンク１４の両側に設けることにより、燃料カートリッジ３は、燃料タンク１４を挟み込んで液体燃料を供給することができる。これにより、燃料カートリッジ３は、携帯端末装置２を確実に保持することができるため、携帯端末装置２から燃料カートリッジ３が外れてしまうことを抑制することができる。
【００５４】
また、燃料タンク１４の内部にスポンジ２８を設けることにより、携帯端末装置２は、液体燃料をスポンジ２８に保持させることができる。このため、携帯端末装置２の姿勢が、何れの姿勢であっても、スポンジ２８は、浸透膜２７に液体燃料を供給することができる。
【００５５】
また、燃料タンク１４の内部に仕切り板２９を設けることで、燃料タンク１４の内部に内部燃料流路Ｒ１を設けることができるため、燃料タンク１４は、液体燃料の流通を妨げることなく、その内部において液体燃料を好適に流通させることができる。
【００５６】
また、位置決め保持部材４１および一対の位置決めリブ４２を設けることで、燃料カートリッジ３は、携帯端末装置２を所定の位置に好適に位置決めすることができる。
【００５７】
なお、実施形態１では、燃料カートリッジ３に対し、携帯端末装置２の正面を上にして装着したが、これに限らず、携帯端末装置２の背面を上にして装着してもよい。このとき、携帯端末装置２の正面と背面とを逆にしたことで、燃料流入口２６ａと燃料流出口２６ｂとが逆となり、燃料流出口２６ｂと燃料流入口２６ａとが逆となる。
【００５８】
（実施形態２）
続いて、図８ないし図１１を参照して、実施形態２に係る燃料端末ユニット８１について説明する。図８は、実施形態２に係る携帯端末ユニットを示す外観斜視図である。図９は、実施形態２に係る携帯端末装置を示す外観斜視図である。図１０は、燃料タンクを示す外観斜視図である。図１１は、実施形態２に係る燃料カートリッジを示す外観斜視図である。実施形態１の燃料端末ユニット１では、燃料タンク１４の両側面に燃料流入口２６ａおよび燃料流出口２６ｂをそれぞれ設けたが、実施形態２の燃料端末ユニット８１では、燃料タンク１４の一方の側面に燃料流入口８５ａおよび燃料流出口８５ｂを設けている。以下、実施形態２の携帯端末ユニット８１について説明する。
【００５９】
図８に示すように、実施形態２の携帯端末ユニット８１は、携帯端末装置８２と、携帯端末装置８２の一方の側面に当接させた燃料カートリッジ８３とを備えている。この携帯端末ユニット８１では、携帯端末装置８２を燃料カートリッジ８３へ装着させることで、燃料カートリッジ８３から携帯端末装置８２へ液体燃料を供給する。
【００６０】
図９に示すように、携帯端末装置８２は、実施形態１の携帯端末装置２と比べ、一方の側面に燃料流入口８５ａおよび燃料流出口８５ｂが設けられている。つまり、図１０に示すように、携帯端末装置８２の燃料タンク９０には、一方の側面に、燃料流入口８５ａおよび燃料流出口８５ｂが設けられている。ここで、図１０を参照して、燃料タンク９０について説明する。
【００６１】
燃料タンク９０は、タンクケース２５と、浸透膜（図示省略）と、スポンジ９５と、仕切り板９６とを備え、このタンクケース２５に、燃料流入口８５ａおよび燃料流出口８５ｂからなる２つの流通口８５が設けられている。なお、タンクケース２５および浸透膜は、実施形態１と同様であるため、説明を省略する。
【００６２】
燃料流入口８５ａおよび燃料流出口８５ｂは、タンクケース２５の一方（図示右側）の端板２５ｂに設けられている。燃料流入口８５ａおよび燃料流出口８５ｂには、封止弁３５がそれぞれ設けられ、各封止弁３５はタンクケース２５の内側に設けられている。なお、封止弁３５も実施形態１と同様であるため説明を省略する。
【００６３】
燃料流入口８５ａおよび燃料流出口８５ｂは、燃料タンク９０の厚み方向において、その高さが異なっている。具体的に、燃料流入口８５ａは、燃料流出口８５ｂに比して、厚み方向における高さが低くなっている。なお、携帯端末装置８２は、その背面を下にして机等に載置される。
【００６４】
また、図１０に示すように、燃料流入口８５ａおよび燃料流出口８５ｂは、燃料タンク９０の短手方向（携帯端末装置８２の長さ方向）において、その位置が異なっている。つまり、端板２５ｂの一方に燃料流入口８５ａが設けられ、端板２５ｂの他方に燃料流出口８５ｂが設けられている。
【００６５】
スポンジ９５は、略長方体状に形成され、燃料流入口８５ａと干渉する１つの角部を切り欠いて形成されている。このスポンジ９５は、後述するスポンジ収容空間Ｓ２に収容されることで、タンクケース２５の一方側（燃料流入口８５ａ側）に配設される。
【００６６】
仕切り板９６は、略方形状に形成され、タンクケース２５の内部に配設されている。具体的に、仕切り板９６は、その長手方向をタンクケース２５の長手方向と一致させ、タンクケース２５の他方側（燃料流出口８５ｂ側）に配設される。そして、仕切り板９６は、その一方の端部を、タンクケース２５の一方（図示右側）の端板２５ｂに当接させて配設され、その他方の端部を、タンクケース２５の他方（図示左側）の端板２５ｂに当接させずに、間を空けて配設されている。このため、仕切り板９６は、タンクケース２５の内部空間を、幅の狭い内部燃料流路Ｒ３と、幅の広い内部燃料流路Ｒ３とに区分けし、幅の広い内部燃料流路Ｒ３を、スポンジ９５を収容するためのスポンジ収容空間Ｓ２としている。
【００６７】
このため、燃料流入口８５ａから流入した液体燃料は、スポンジ収容空間Ｓ２に流れ込んで、スポンジ９５に吸収される。そして、スポンジ９５から溢れ出た液体燃料は、幅の狭い内部燃料流路Ｒ３を通って、燃料流出口８５ｂから流れ出る。
【００６８】
次に、図１１を参照して、燃料カートリッジ８３について説明する。この燃料カートリッジ８３は、その内部に液体燃料を溜めている。また、燃料カートリッジ８３は、携帯端末装置８２を位置決めする位置決め部として機能する載置部１００が設けられている。この載置部１００は、携帯端末装置８２の背面に当接する背面側規制面１０１と、携帯端末装置８２の底面に当接する底面側規制面１０２と、携帯端末装置８２の一方の側面に当接する側面側規制面１０３とを有している。
【００６９】
背面側規制面１０１は、燃料流入口８５ａおよび燃料流出口８５ｂが設けられた一方の側面を、他方の側面よりも低くなるように、携帯端末装置８２を傾斜させる。側面側規制面１０３には、燃料注入口１０５ａと燃料排出口１０５ｂとが形成されている。このとき、燃料注入口１０５ａは、燃料排出口１０５ｂに比して、鉛直方向における高さが低くなるように設けられている。
【００７０】
従って、携帯端末装置８２に液体燃料を供給する場合、先ず、携帯端末装置８２は、燃料カートリッジ３の載置部１００に載置される。このとき、携帯端末装置８２は、載置部１００の背面側規制面１０１、底面側規制面１０２および側面側規制面１０３に規制されることで、位置決めがなされる。燃料カートリッジ８３に携帯端末装置８２がセットされると、携帯端末装置８２の燃料流入口８５ａに燃料カートリッジ８３の燃料注入口１０５ａが接続され、携帯端末装置８２の燃料流出口８５ｂに燃料カートリッジ８３の燃料排出口１０５ｂが接続される。
【００７１】
このとき、燃料流入口８５ａは、鉛直方向において、燃料流出口８５ｂよりも下側に位置するため、燃料流入口８５ａに加わる液体燃料の圧力は、燃料流出口８５ｂに加わる液体燃料の圧力に比して大きい。このため、液体燃料は、燃料流入口８５ａから燃料タンク９０へ向けて流入する一方で、燃料タンク９０内の気体は、燃料流出口８５ｂから排出される。
【００７２】
この後、燃料タンク９０内の液位が上昇して、燃料流出口８５ｂに達すると、燃料タンク９０内に供給された液体燃料は、燃料流出口８５ｂから流出する。つまり、燃料カートリッジ８３から燃料タンク９０へ流入した液体燃料は、その一部が燃料タンク９０から燃料カートリッジ８３へ流出する。よって、液体燃料は、燃料カートリッジ８３と燃料タンク９０との間で循環させることが可能となっている。
【００７３】
以上の構成においても、携帯端末装置８２は、燃料タンク９０内の気体の燃料流出口８５ｂからの流出（排出）を許容する。また、携帯端末装置８２は、燃料タンク９０に供給された液体燃料の燃料流出口８５ｂからの流出を許容する。これにより、ユーザは、液体燃料の逆流や漏出を生じさせることなく、液体燃料の供給を安全に行うことができる。
【００７４】
なお、実施形態１および実施形態２の携帯端末装置２，８２または燃料カートリッジ３，８３に、例えば、ギアポンプ等の揚水ポンプを配設し、この揚水ポンプにより液体燃料を燃料タンク１４，９０へ向けて送出するようにしてもよい。
【産業上の利用可能性】
【００７５】
以上のように、本発明に係る携帯端末装置および携帯端末ユニットは、燃料電池を搭載した携帯端末装置および携帯端末ユニットにおいて有用であり、特に、液体燃料の供給を安全に行う場合に適している。
【符号の説明】
【００７６】
１      携帯端末ユニット
２      携帯端末装置
３      燃料供給装置
１４    燃料タンク
１５    燃料電池ユニット
２６    流通口
２６ａ  燃料流入口
２６ｂ  燃料流出口
２７    浸透膜
２８    スポンジ
２９    仕切り板
４１    位置決め保持部材
４２    位置決めリブ
４５    接続口
４５ａ  燃料注入口
４５ｂ  燃料排出口
５６    装着アーム部
５７    可動部
８１    携帯端末ユニット（実施形態２）
８２    携帯端末装置（実施形態２）
８３    燃料カートリッジ（実施形態２）
８５ａ  燃料流入口（実施形態２）
８５ｂ  燃料流出口（実施形態２）
９０    燃料タンク（実施形態２）
９５    スポンジ（実施形態２）
９６    仕切り板（実施形態２）
１００  載置部
１０５ａ  燃料注入口（実施形態２）
１０５ｂ  燃料排出口（実施形態２）
Ｒ１    内部燃料流路（実施形態１）
Ｒ３    内部燃料流路（実施形態２）
【図１】
2011210374.tif 000003
【図２】
2011210374.tif 000004
【図３】
2011210374.tif 000005
【図４】
2011210374.tif 000006
【図５】
2011210374.tif 000007
【図６】
2011210374.tif 000008
【図７】
2011210374.tif 000009
【図８】
2011210374.tif 000010
【図９】
2011210374.tif 000011
【図１０】
2011210374.tif 000012
【図１１】
2011210374.tif 000013